(57)【特許請求の範囲】
【請求項１】
人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される熱線センサ付自動スイッチ子器であって、
人体からの熱線によりその有無検出を行う子器側熱線センサ部と、商用電源に接続するための子器側電源端子部と、負荷を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部と
を備えることを特徴とする熱線センサ付自動スイッチ子器。
【請求項２】
前記子器側熱線センサ部の電源は、前記子器側電源端子部からとられることを特徴とする請求項１記載の熱線センサ付自動スイッチ子器。
【請求項３】
前記子器側熱線センサ部の電源は、前記子器側端子部に接続される電線を介して前記熱線センサ付自動スイッチ親器からとられることを特徴とする請求項１記載の熱線センサ付自動スイッチ子器。
【請求項４】
人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、
人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部と
を備えることを特徴とする熱線センサ付自動スイッチ子器。
【請求項５】
人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、
人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備え、
前記熱線センサ付自動スイッチ親器の設定部は、所定範囲の時間内から所望時間を選択させてそれを動作保持時間に設定するための切替手段を備える一方、前記子器側設定部は、所定範囲の時間内から所望時間を選択させてそれを動作保持時間に設定するための切替手段を備える
ことを特徴とする熱線センサ付自動スイッチ子器。
【請求項６】
人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、
人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部と、前記子器側端子部に接続され人体有無検出結果を含む信号送受信用の子器ライン信号検出部とを備え、
光デバイスを介して少なくとも前記子器ライン信号検出部側を他の部分から絶縁して構成される
ことを特徴とする熱線センサ付自動スイッチ子器。
【請求項７】
熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、
前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で信号伝送を行う制御部と
を備えることを特徴とする子器増設機能付子器。
【請求項８】
熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、
人体からの熱線によりその有無検出を行う増設側熱線センサ部と、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で前記有無検出結果を含む信号伝送を行う制御部と
を備えることを特徴とする子器増設機能付子器。
【請求項９】
熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、
商用電源に接続するための負荷増設側電源端子部と、負荷を接続するための負荷増設側負荷端子部と、前記熱線センサ付自動スイッチ親器の負荷端子部側に接続される制御入力端子部と、前記負荷増設側電源端子部と前記負荷増設側負荷端子部との間の接続を開閉する開閉部と、前記制御入力端子部から、前記熱線センサ付自動スイッチ親器による直下の負荷に対する負荷制御状態を検出する制御入力検出部と、この制御入力検出部で検出された負荷制御状態に応じて前記開閉部の開閉制御を行う負荷増設側制御部と
を備えることを特徴とする負荷増設ユニット。
【請求項１０】
前記制御入力検出部は、前記制御入力端子部から得られる商用電源の電圧から前記負荷制御状態を検出することを特徴とする請求項９記載の負荷増設ユニット。
【請求項１１】
前記負荷増設側電源端子部、負荷増設側負荷端子部、制御入力端子部、開閉部および負荷増設側制御部を収納し天井に取り付けられるハウジングを備え、前記開閉部をリレーで構成したことを特徴とする請求項９または１０記載の負荷増設ユニット。
【請求項１２】
熱線センサ付自動スイッチ親器、第１熱線センサ付自動スイッチ子器、第２熱線センサ付自動スイッチ子器、子器増設機能付子器および負荷増設ユニットを含む自動スイッチシステムであって、
前記熱線センサ付自動スイッチ親器は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備え、
前記第１熱線センサ付自動スイッチ子器は、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備え、
前記第２熱線センサ付自動スイッチ子器は、人体からの熱線によりその有無検出を行う子器側熱線センサ部と、商用電源に接続するための子器側電源端子部と、換気扇を接続するための子器側負荷端子部と、動作保持時間を所定範囲の時間内の所望時間に設定するための子器側設定部と、前記子器端子部に電線を介して接続される子器側端子部と、この子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備え、
前記子器増設機能付子器は、人体からの熱線によりその有無検出を行う増設側熱線センサ部と、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で人体の有無検出結果を含む信号伝送を行う制御部とを備え、
前記負荷増設ユニットは、商用電源に接続するための負荷増設側電源端子部と、負荷を接続するための負荷増設側負荷端子部と、前記熱線センサ付自動スイッチ親器の負荷端子部側に接続される制御入力端子部と、前記負荷増設側電源端子部と前記負荷増設側負荷端子部との間の接続を開閉する開閉部と、前記制御入力端子部から、前記熱線センサ付自動スイッチ親器による直下の負荷に対する負荷制御状態を検出する制御入力検出部と、この制御入力検出部で検出された負荷制御状態に応じて前記開閉部の開閉制御を行う負荷増設側制御部とを備える
ことを特徴とする自動スイッチシステム。
【請求項１３】
前記熱線センサ付自動スイッチ親器、第１熱線センサ付自動スイッチ子器、第２熱線センサ付自動スイッチ子器、子器増設機能付子器および負荷増設ユニットの各々は、天井に取り付けられるハウジングを備えていることを特徴とする請求項１２記載の自動スイッチシステム。
【請求項１４】
人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備え、
この制御部は、前記熱線センサ部による人体の有無検出結果を前記子器端子部から送出する制御をさらに実行する
ことを特徴とする熱線センサ付自動スイッチ親器。
【請求項１５】
前記制御部は、前記照度センサ部の検出結果に関係なく、前記熱線センサ部による人体の有無検出結果を前記子器端子部から送出する制御を実行することを特徴とする請求項１４記載の熱線センサ付自動スイッチ親器。
【請求項１６】
人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備え、前記開閉部および制御部を組み合わせてハイブリット構成にしたことを特徴とする熱線センサ付自動スイッチ親器。
【請求項１７】
人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備えた熱線センサ付自動スイッチ親器であって、
前記照度センサ部の動作周囲照度を、予め設定された範囲内から選択された所望の照度に設定するための明るさ設定手段を設けた
ことを特徴とする熱線センサ付自動スイッチ親器。
【請求項１８】
人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備え、
前記設定部は、所定範囲の時間内から所望時間を選択させてそれを動作保持時間に設定するためのセレクタスイッチを備える
ことを特徴とする熱線センサ付自動スイッチ親器。
【発明の詳細な説明】
【０００１】
【発明の属する技術分野】
本発明は、熱線センサ付自動スイッチ子器、子器増設機能付子器、負荷増設ユニット、自動スイッチシステムおよび熱線センサ付自動スイッチ親器に関するものである。
【０００２】
【従来の技術】
従来、熱線センサ付自動スイッチ親器およびこれに接続される子器が種々提案されまた市販されている。
【０００３】
例えば、特開平７−２１０７７４号公報には、人体から放射される熱線を検知する熱線センサと、検知領域からの熱線を熱線センサに集光する受光レンズと、熱線センサにより熱線が検知されると人の存否に応じた制御信号を出力する制御部と、被制御機器への給電路に挿入されて上記制御信号によりオン・オフ状態が設定されるスイッチ要素と、被制御機器への給電線が接続されることにより給電線と上記給電路とを接続する速結端子からなる端子部とをケース内に収納して成る熱線センサ付自動スイッチ親器（感熱式自動スイッチ）が開示されている。図３６に示すように、この熱線センサ付自動スイッチ親器１は、フランジ部Ａ１１を有するボディＡ１と、端子部１３０を構成するカバーＡ８とにより成るハウジングを備え、このハウジング内に、上記熱線センサ、レンズＡ４２、制御部およびスイッチ要素などが収納される。なお、図３６において、PA１０２は操作つまみ（動作保持時間の調整つまみ）、そしてPA１０３ａは操作スイッチ片（動作周囲照度の調整つまみ）である。
【０００４】
この種の熱線センサ付自動スイッチ親器は、図３７に示すように、子器２が接続されて使用される場合がある。この場合、熱線センサ付自動スイッチ親器１に照明器具４に加えて換気扇５をも接続するとき、照明器具４が接続されている端子部に換気扇５が接続されることになる。
【０００５】
【発明が解決しようとする課題】
しかしながら、図３７に示すように、熱線センサ付自動スイッチ親器１の端子部の一箇所に照明器具４と換気扇５とを接続すると、複数箇所での検出結果に応じて照明器具４と換気扇５とを連動させ、同時オンおよび同時オフさせることは可能となるが、照明器具４に対して換気扇５を遅れオフさせることができない。
【０００６】
また、熱線センサ付自動スイッチ親器１の明るさセンサが有効である場合、昼間の明るい時間帯において、照明器具４および換気扇５の双方が動作しなくなるので、その時間帯に換気扇５を動作させることができなくなる。
【０００７】
ここで、トイレ用には、図３８に示すように、遅れオフ仕様の熱線センサ付自動スイッチ８などがあるが、この熱線センサ付自動スイッチ８の端子部には、照明器具４、換気扇５および商用電源ＡＣしか接続することができないので、複数の子器による複数箇所における検知結果に応じた負荷制御ができない。また、固定の遅れ時間でしか使用できない。
【０００８】
本発明は、上記事情に鑑みてなされたものであり、換気扇の遅れオフ動作を可能にし、昼間の明るい時間帯で換気扇のみの動作を可能にし、複数の子器による複数箇所における検知結果に応じた負荷制御を可能にする熱線センサ付自動スイッチ子器を提供することを目的とする。
【０００９】
【課題を解決するための手段】
上記課題を解決するための請求項１記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される熱線センサ付自動スイッチ子器であって、人体からの熱線によりその有無検出を行う子器側熱線センサ部と、商用電源に接続するための子器側電源端子部と、負荷を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備えることを特徴とする。
【００１０】
この構成では、例えば、熱線センサ付自動スイッチ親器の子器端子部に熱線センサ付自動スイッチ子器を接続し、熱線センサ付自動スイッチ親器の負荷端子部に照明器具を接続し、そして、熱線センサ付自動スイッチ子器の子器側負荷端子部に換気扇を接続すれば、熱線センサ付自動スイッチ子器において、子器側端子部および子器側熱線センサ部の少なくとも一方から人体有りの検出結果が得られる毎に、子器側電源端子部から得られる電力が子器側負荷端子部に供給されて、子器側設定部で設定された動作保持時間、換気扇が動作するようになる。このとき、熱線センサ付自動スイッチ親器において、切替部による切替えが無効であれば、子器端子部および熱線センサ部の少なくとも一方から人体有りの検出結果が得られる毎に、電源端子部から得られる電力が負荷端子部に供給されて、設定部で設定された動作保持時間、照明器具が点灯するようになる。この場合、換気扇に対する動作保持時間が照明器具に対する動作保持時間より長い時間に設定されていれば、照明器具に対する換気扇の遅れオフ動作が可能となる。一方、切替部による切替えが有効であって照度センサ部による照度の検出結果が所定照度を上回っていれば、負荷端子部に対する電源端子部から得られる電力の供給が禁止されるので、例えば昼間の明るい時間帯に換気扇のみを動作させることが可能となる。また、従来の子器とともに本熱線センサ付自動スイッチ子器を熱線センサ付自動スイッチ親器の子器端子部に接続することができるから、本熱線センサ付自動スイッチ子器を含む複数の子器による複数箇所における人体検知結果に応じた負荷制御が可能になる。
【００１１】
請求項２記載の発明は、請求項１記載の熱線センサ付自動スイッチ子器において、前記子器側熱線センサ部の電源は、前記子器側電源端子部からとられることを特徴とする。
【００１２】
請求項３記載の発明は、請求項１記載の熱線センサ付自動スイッチ子器において、前記子器側熱線センサ部の電源は、前記子器側端子部に接続される電線を介して前記熱線センサ付自動スイッチ親器からとられることを特徴とする。
【００１３】
請求項４記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備えることを特徴とする。
【００１４】
請求項５記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備え、前記熱線センサ付自動スイッチ親器の設定部は、所定範囲の時間内から所望時間を選択させてそれを動作保持時間に設定するための切替手段を備える一方、前記子器側設定部は、所定範囲の時間内から所望時間を選択させてそれを動作保持時間に設定するための切替手段を備えることを特徴とする。
【００１５】
請求項６記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部と、前記子器側端子部に接続され人体有無検出結果を含む信号送受信用の子器ライン信号検出部とを備え、光デバイスを介して少なくとも前記子器ライン信号検出部側を他の部分から絶縁して構成されることを特徴とする。
【００１６】
請求項７記載の発明の子器増設機能付子器は、熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で信号伝送を行う制御部とを備えることを特徴とする。
【００１７】
請求項８記載の発明の子器増設機能付子器は、熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、人体からの熱線によりその有無検出を行う増設側熱線センサ部と、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で前記有無検出結果を含む信号伝送を行う制御部とを備えることを特徴とする。
【００１８】
請求項９記載の発明の負荷増設ユニットは、熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、商用電源に接続するための負荷増設側電源端子部と、負荷を接続するための負荷増設側負荷端子部と、前記熱線センサ付自動スイッチ親器の負荷端子部側に接続される制御入力端子部と、前記負荷増設側電源端子部と前記負荷増設側負荷端子部との間の接続を開閉する開閉部と、前記制御入力端子部から、前記熱線センサ付自動スイッチ親器による直下の負荷に対する負荷制御状態を検出する制御入力検出部と、この制御入力検出部で検出された負荷制御状態に応じて前記開閉部の開閉制御を行う負荷増設側制御部とを備えることを特徴とする。
【００１９】
請求項１０記載の発明は、請求項９記載の負荷増設ユニットにおいて、前記制御入力検出部は、前記制御入力端子部から得られる商用電源の電圧から前記負荷制御状態を検出することを特徴とする。
【００２０】
請求項１１記載の発明は、請求項９または１０記載の負荷増設ユニットにおいて、前記負荷増設側電源端子部、負荷増設側負荷端子部、制御入力端子部、開閉部および負荷増設側制御部を収納し天井に取り付けられるハウジングを備え、前記開閉部をリレーで構成したことを特徴とする。
【００２１】
請求項１２記載の発明は、熱線センサ付自動スイッチ親器、第１熱線センサ付自動スイッチ子器、第２熱線センサ付自動スイッチ子器、子器増設機能付子器および負荷増設ユニットを含む自動スイッチシステムであって、前記熱線センサ付自動スイッチ親器は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備え、前記第１熱線センサ付自動スイッチ子器は、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備え、前記第２熱線センサ付自動スイッチ子器は、人体からの熱線によりその有無検出を行う子器側熱線センサ部と、商用電源に接続するための子器側電源端子部と、換気扇を接続するための子器側負荷端子部と、動作保持時間を所定範囲の時間内の所望時間に設定するための子器側設定部と、前記子器端子部に電線を介して接続される子器側端子部と、この子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備え、前記子器増設機能付子器は、人体からの熱線によりその有無検出を行う増設側熱線センサ部と、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で人体の有無検出結果を含む信号伝送を行う制御部とを備え、前記負荷増設ユニットは、商用電源に接続するための負荷増設側電源端子部と、負荷を接続するための負荷増設側負荷端子部と、前記熱線センサ付自動スイッチ親器の負荷端子部側に接続される制御入力端子部と、前記負荷増設側電源端子部と前記負荷増設側負荷端子部との間の接続を開閉する開閉部と、前記制御入力端子部から、前記熱線センサ付自動スイッチ親器による直下の負荷に対する負荷制御状態を検出する制御入力検出部と、この制御入力検出部で検出された負荷制御状態に応じて前記開閉部の開閉制御を行う負荷増設側制御部とを備えることを特徴とする。
【００２２】
請求項１３記載の発明は、請求項１２記載の自動スイッチシステムにおいて、前記熱線センサ付自動スイッチ親器、第１熱線センサ付自動スイッチ子器、第２熱線センサ付自動スイッチ子器、子器増設機能付子器および負荷増設ユニットの各々は、天井に取り付けられるハウジングを備えていることを特徴とする。
【００２３】
請求項１４記載の発明の熱線センサ付自動スイッチ親器は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備え、この制御部は、前記熱線センサ部による人体の有無検出結果を前記子器端子部から送出する制御をさらに実行することを特徴とする。
【００２４】
請求項１５記載の発明は、請求項１４記載の熱線センサ付自動スイッチ親器において、前記制御部は、前記照度センサ部の検出結果に関係なく、前記熱線センサ部による人体の有無検出結果を前記子器端子部から送出する制御を実行することを特徴とする。
【００２５】
請求項１６記載の発明の熱線センサ付自動スイッチ親器は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備え、前記開閉部および制御部を組み合わせてハイブリット構成にしたことを特徴とする。
【００２６】
請求項１７記載の発明は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備えた熱線センサ付自動スイッチ親器であって、前記照度センサ部の動作周囲照度を、予め設定された範囲内から選択された所望の照度に設定するための明るさ設定手段を設けたことを特徴とする。
【００２７】
請求項１８記載の発明の熱線センサ付自動スイッチ親器は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備え、前記設定部は、所定範囲の時間内から所望時間を選択させてそれを動作保持時間に設定するためのセレクタスイッチを備えることを特徴とする。
【００２８】
【発明の実施の形態】
（第１実施形態）
図１は熱線センサ付自動スイッチ親器および熱線センサ付自動スイッチ子器を含む自動スイッチシステムの構成例を示す図、図２は図１の同システムにおける各機器の具体的な接続例を示す図であり、これらの図を参照しながら本発明の第１実施形態について説明する。
【００２９】
第１実施形態の自動スイッチシステムは、図２に示すように、親器１（熱線センサ付自動スイッチ親器）に、電線Ｌ１，Ｌ２で送り配線式に子器２と換気扇子器３（本発明の第１実施形態に係る熱線センサ付自動スイッチ子器）とを接続し、電線Ｌ３，Ｌ４を介してそれぞれ親器１および換気扇子器３を商用電源ＡＣに接続し、そして電線Ｌ５，Ｌ６を介してそれぞれ照明器具４および換気扇５を親器１および換気扇子器３に接続することにより構成されている。
【００３０】
親器１は、従来と同様のものであり、フランジ１２ａを有するボディ１２と、商用電源ＡＣに接続するための電源端子部１３１、照明器具４を負荷として接続するための負荷端子部１３２、および外部から人体の有無検出結果などを得るための子器端子部１３３を構成するカバー１３とにより成るケース１１を備え、このケース１１内に受光レンズおよび電気回路部１０などを収納している。なお、親器１は、換気扇子器３を含め、合計で６台の子器を接続することができ、また２台の子器しか接続することができない従来の親器（ＡＣ１００Ｖ，定格３Ａ）と比較して高容量親器（ＡＣ１００／２００Ｖ，定格８Ａ）となっている。
【００３１】
電源端子部１３１は、電線Ｌ３の一対の導体線をそれぞれ挿入するための一対の電線挿入口１３１ａを有するとともに、これらの各電線挿入口１３１ａに挿入された導体線に鎖錠する速結端子を内部に備えている。これと同様に、負荷端子部１３２は、電線Ｌ５の一対の導体線をそれぞれ挿入するための一対の電線挿入口１３２ａを有するとともに、これらの各電線挿入口１３２ａに挿入された導体線に鎖錠する速結端子を内部に備えている。また、子器端子部１３３は、電線Ｌ１の一対の導体線をそれぞれ挿入するための一対の電線挿入口１３３ａを有するとともに、これらの各電線挿入口１３３ａに挿入された導体線に鎖錠する速結端子を内部に備えている。
【００３２】
電気回路部１０は、図１に示すように、検出結果受信用の子器信号送出・検出回路部１００と、熱線センサを含み、人体からの熱線によりその有無検出を行うセンサ回路部１０１と、動作保持時間を所定範囲の時間（例えば１０秒から６分程度）内の所望時間に設定するための動作保持時間設定ボリューム１０２と、周囲の照度（明るさ）の検出を行う明るさセンサ部１０３とを備えるとともに、開閉部１０４と、定電圧回路部１０５と、切替スイッチ１０６と、制御回路部１０７とを備えている。
【００３３】
開閉部１０４は、電源端子部１３１と負荷端子部１３２との間に介設される開閉制御端子付のスイッチであり、定電圧回路部１０５は、電源端子部１３１からの交流電力（電圧は１００Ｖまたは２００Ｖ）を整流および平滑などし、得られた定電圧の直流電力を制御回路部１０７などに供給するものである。
【００３４】
切替スイッチ１０６は、各種切替えを行うためのものであり、子器端子部１３３およびセンサ回路部１０１から得られる人体の有無検出結果を有効にする「自動」に、または無効にして「切」もしくは「連続入」に切り替えるためのスイッチと、明るさセンサ部１０３の検出結果を有効にして所定照度の低い「暗」もしくは高い「明」に、または無効にする「切」に切り替えるためのスイッチとを備える。これらスイッチのうち、「暗」、「明」、「切」のスイッチは、親器が天井用または壁埋込用に関わらず、親器に一体に設けられる。ただし、天井用の場合は、「暗」、「明」、「点検」のスイッチとして設けられる。これに対して、「自動」、「切」、「連続入」のスイッチは、親器が天井用であれば、親器とは別体の壁埋込操作ユニットとして設けられ、壁埋込用であれば親器と一体に設けられる。
【００３５】
ここで、前者のスイッチが「切」に切り替えられると、負荷端子部１３２に接続された照明器具４が消灯状態を保持し、「連続入」に切り替えられると、点灯状態を保持する。他方、後者のスイッチで、所定照度が例えば高い方の「明」に切り替えられると、夕方早めに負荷が動作することになる。
【００３６】
制御回路部１０７は、マイコンにより構成され、切替スイッチ１０６の切替設定に準じ、子器信号送出・検出回路部１００を介して子器端子部１３３から得られる検出結果と、センサ回路部１０１および明るさセンサ部１０３の各検出結果とを利用して、負荷端子部１３２に接続された負荷に対する電力供給制御を行うものである。
【００３７】
例えば、制御回路部１０７は、切替スイッチ１０６で「自動」に設定されている場合、子器端子部１３３およびセンサ回路部１０１の少なくとも一方から人体有りの検出結果が得られる毎に、動作保持時間設定ボリューム１０２で設定された動作保持時間、開閉部１０４を閉状態にして、負荷端子部１３２（図２の例では照明器具４が接続されているので照明器具４）に対して電源端子部１３１から得られる電力の供給を行う。このとき、切替スイッチ１０６による切替えが「暗」または「明」の有効であって、明るさセンサ部１０３による照度の検出結果が上記切替えで決まる所定照度を上回っていれば、負荷端子部１３２に対する電源端子部１３１から得られる電力の供給を禁止する制御が実行される。すなわち、周囲の照度が所定照度より明るければ、人体の有無検出結果に関わらず、負荷端子部１３２に接続された照明器具４は消灯状態に保持されるのである。
【００３８】
図２に示す子器２は、従来と同様のものであり、フランジ２２ａを有するボディ２２と、検出結果を送り配線式で送出するための端子部２３１を一対有するカバー２３とにより構成されるケース２１を備え、このケース２１内に受光レンズおよび電気回路部２０などを収納している。
【００３９】
各端子部２３１は、電線（Ｌ１，Ｌ２）の一対の導体線をそれぞれ挿入するための一対の電線挿入口２３１ａを有するとともに、これらの各電線挿入口２３１ａに挿入された導体線に鎖錠する速結端子を内部に備えている。
【００４０】
電気回路部２０は、図１に示すように、検出結果送信用の子器信号送出・検出回路部２００と、例えば、熱線センサを含み、人体からの熱線によりその有無検出を行うセンサ回路部２０１とを備えている。このセンサ回路部２０１で検出された検出結果は、子器信号送出・検出回路部２００を介して各端子部２３１から外部に送出させる。
【００４１】
図２に戻って、本実施形態の特徴となる新たな換気扇子器３は、フランジ３２ａを有するボディ３２と、商用電源ＡＣに接続するための電源端子部３３１、換気扇５を負荷として接続するための負荷端子部３３２、および子器端子部１３３に電線（図２の例ではＬ１，Ｌ２）を介して接続されるとともに後述の子器ライン信号検出回路部３００を介してセンサ回路部３０１の出力に接続される端子部３３３を構成するカバー３３とにより成るケース３１を備え、このケース３１内に受光レンズおよび電気回路部３０などを収納している。
【００４２】
電源端子部３３１は、電線Ｌ４の一対の導体線をそれぞれ挿入するための一対の電線挿入口３３１ａを有するとともに、これらの各電線挿入口３３１ａに挿入された導体線に鎖錠する速結端子を内部に備えている。これと同様に、負荷端子部３３２は、電線Ｌ６の一対の導体線をそれぞれ挿入するための一対の電線挿入口３３２ａを有するとともに、これらの各電線挿入口３３２ａに挿入された導体線に鎖錠する速結端子を内部に備えている。また、端子部３３３は、電線Ｌ２の一対の導体線をそれぞれ挿入するための一対の電線挿入口３３３ａを有するとともに、これらの各電線挿入口３３３ａに挿入された導体線に鎖錠する速結端子を内部に備えている。
【００４３】
電気回路部３０は、図１に示すように、検出結果を含む信号送受信用の子器ライン信号検出回路部３００と、熱線センサを含み、人体からの熱線によりその有無検出を行うセンサ回路部３０１と、動作保持時間（例えば１０秒から３０分程度）を所定範囲の時間内の所望時間に設定するための動作保持時間設定ボリューム３０２とを備えるとともに、開閉部３０４と、定電圧回路部３０５と、切替スイッチ３０６と、制御回路部３０７とを備えている。
【００４４】
開閉部３０４は、電源端子部３３１と負荷端子部３３２との間に介設される開閉制御端子付のスイッチであり、定電圧回路部３０５は、電源端子部３３１からの交流電力（電圧は１００Ｖまたは２００Ｖ）を整流および平滑などし、得られた定電圧の直流電力を制御回路部３０７などに供給するものである。
【００４５】
切替スイッチ３０６は、端子部３３３およびセンサ回路部３０１から得られる人体の有無検出結果を有効にする「自動」に、または無効にして「切」もしくは「連続入」に切り替えるためのスイッチを親器１と同様に備える。
【００４６】
制御回路部３０７は、マイコンにより構成され、切替スイッチ３０６の切替設定に準じ、子器ライン信号検出回路部３００を介して端子部３３３から得られる人体の有無検出結果と、センサ回路部３０１の検出結果とを利用して、負荷端子部３３２に接続された負荷に対する電力供給制御を行うものである。
【００４７】
例えば、制御回路部３０７は、切替スイッチ３０６で「自動」に設定されている場合、端子部３３３およびセンサ回路部３０１の少なくとも一方から人体有りの検出結果が得られる毎に、動作保持時間設定ボリューム３０２で設定された動作保持時間、開閉部３０４を閉状態にして、負荷端子部３３２（図２の例では換気扇５が接続されているので換気扇５）に対して電源端子部３３１から得られる電力の供給を行う。
【００４８】
このように構成される自動スイッチシステムでは、換気扇子器３において、端子部３３３およびセンサ回路部３０１の少なくとも一方から人体有りの検出結果が得られる毎に、電源端子部３３１から得られる電力が負荷端子部３３２に供給されて、動作保持時間設定ボリューム３０２で設定された動作保持時間、換気扇５が動作することになる。
【００４９】
このとき、親器１において、切替スイッチ１０６の「暗」、「明」、「切」のスイッチによる切替えが無効の「切」である場合、子器端子部１３３およびセンサ回路部１０１の少なくとも一方から人体有りの検出結果が得られる毎に、電源端子部１３１から得られる電力が負荷端子部１３２に供給されて、動作保持時間設定ボリューム１０２で設定された動作保持時間、照明器具４が動作して点灯することになる。この場合、換気扇５に対する動作保持時間が照明器具４に対する動作保持時間より長い時間に設定されていれば、照明器具４に対する換気扇５の遅れオフ動作が可能となる。
【００５０】
一方、切替スイッチ１０６の「暗」、「明」、「切」のスイッチによる切替えが有効の「暗」または「明」である場合、明るさセンサ部１０３による照度の検出結果が対応する所定照度を下回っていれば、上記動作が許容される。つまり、周囲の照度が所定照度より暗ければ、人体有りの検出結果が得られる毎に、照明器具４が対応する動作保持時間点灯するのである。これに対して、明るさセンサ部１０３による照度の検出結果が対応する所定照度を上回っていれば、負荷端子部１３２に対する電源端子部１３１から得られる電力の供給が禁止されるので、照明器具４が点灯せずに消灯状態を維持する。これにより、周囲の照度が所定照度より明るい例えば昼間の時間帯に、照明器具４を点灯させずに換気扇５のみを動作させることが可能となる。
【００５１】
また、従来の子器２とともに本換気扇子器３を親器１の子器端子部１３３に接続することができるから、本換気扇子器３を含む複数の子器による複数箇所における人体検出結果に応じた負荷制御が可能になる。
【００５２】
ところで、図１の例では、換気扇子器３における子器ライン信号検出回路部３００およびセンサ回路部３０１の電源が、端子部３３３に接続される電線Ｌ１，Ｌ２を介して親器１からとられるので、センサ回路部３０１を換気扇子器３の制御回路部３０７とは別の電源で駆動させることができ、これら双方を絶縁した回路構成にできる。例えば、親器１を２００Ｖに、換気扇子器３を１００Ｖに接続することができる。
【００５３】
なお、これに限らず、換気扇子器３における子器ライン信号検出回路部３００およびセンサ回路部３０１の電源が、電源端子部３３１からとられる構成でもよい。この構成の場合、親器１とは別の電源で、センサ回路部３０１および制御部３０７の双方を駆動させることができるから、換気扇子器３を商用電源ＡＣに接続し、負荷端子部３３２に換気扇５を接続するだけでも、換気扇子器３が単独で動作するようになる。
【００５４】
また、第１実施形態では、親器１は、子器端子部１３３を通じて外部から検出結果を取り込む構成になっているが、子器端子部１３３を通じてセンサ回路部１０１の検出結果を外部に出力する構成にしてもよい。この構成の場合、換気扇子器３は、端子部３３３を通じて親器１からの検出結果を取り込むことができる。
【００５５】
（第２実施形態）
図３は換気扇子器の具体構造を示す分解斜視図、図４は同換気扇子器を各方向から見た平面図、図５は同換気扇子器の回路図、図６は同換気扇子器の人体検出エリアの説明図であり、これらの図を参照しながら本発明の第２実施形態について説明する。
【００５６】
第２実施形態の換気扇子器は、図３，図４に示すように、天井に取付け可能にするべく、窓孔Ａ１１ａを間に挟んで両側に１対の保持溝Ａ１１ｂを有する円板状のフランジ部Ａ１１と、この上面中央に一体成形され、係合孔が穿設された係合突片Ａ１２ａを４個上縁に一体に立設する筒部Ａ１２とにより成るボディＡ１を備えているほか、１対のはさみ金具Ａ２と、プレートＡ３と、回転式の熱線センサ格納部Ａ４と、支持部材Ａ５と、制御系プリント基板Ａ６と、電源系プリント基板Ａ７と、カバーＡ８と、端子カバーＡ９とを備えている。
【００５７】
はさみ金具Ａ２は、一方に開口する縦長箱状に形成されて成り１対の保持溝Ａ１１ｂに係合する１対の係合突片Ａ２１ａを下端に有する支柱Ａ２１と、この上壁および底壁に上下端がそれぞれ挿通されて支柱Ａ２１に回動自在に保持される引締めねじＡ２２と、これに螺合する挟み片Ａ２３とにより構成されている。この挟み片Ａ２３は、引締めねじＡ２２を回すことで、切欠部Ａ２１ｂから移動して支柱Ａ２１の開口面に沿って下降するようになっている。従って、各はさみ金具Ａ２の１対の係合突片Ａ２１ａをフランジ部Ａ１１の１対の保持溝Ａ１１ｂにそれぞれ係合させて、各はさみ金具Ａ２をボディＡ１に着脱自在に取り付け、各はさみ金具Ａ２および筒部Ａ１２を図略の天井ボードに形成された取付孔に挿通し、この後、挟み片Ａ２３を下降させれば、上記取付孔の周部近傍の天井ボード上下面にそれぞれ挟み片Ａ２３の先端部下面およびフランジ部Ａ１１の上面が当接ないし圧接し、これにより、ボディＡ１が天井に取り付けられることになる。
【００５８】
プレートＡ３は、窓孔Ａ１１ａに対応する丸孔Ａ３ａを中央部に有し、フランジ部Ａ１１に係合して保持され、化粧カバーとして機能するものである。
【００５９】
熱線センサ格納部Ａ４は、軸部Ａ４１ａが両端に突設されている半球状の回転枠Ａ４１と、この前面側（図３では下側）に結合して窓部となるレンズ（例えばフレネルレンズよりなる多焦点レンズ）Ａ４２と、センサ（例えば焦電体エレメントなどの赤外線検知エレメントによりなる熱線センサ、図５の具体回路例では焦電素子３０１ａ）が前面側に実装され、回転枠Ａ４１およびレンズＡ４２により内部に収納される検出系プリント基板Ａ４３と、回転枠Ａ４１およびレンズＡ４２の結合部分に取り付けられるリング状の保持枠Ａ４４とにより構成されている。
【００６０】
支持部材Ａ５は、押え金具Ａ５１と、これにばねＡ５２を介して取り付けられる支持棒Ａ５３と、２個のねじＡ５４とにより構成され、熱線センサ格納部Ａ４をボディＡ１に回動自在に固定するためのものである。すなわち、回転枠Ａ４１の各軸部Ａ４１ａを窓孔Ａ１１ａの周部に形成された下端側から上方に伸びるガイド溝Ａ１１ｃに挿入し、この後、２個のねじＡ５４を用いて、ばねＡ５２を介して支持棒Ａ５３が取り付けられた押え金具Ａ５１をボディＡ１にねじ止めすれば、熱線センサ格納部Ａ４の上部が支持棒Ａ５３により弾性的に押接され、熱線センサ格納部Ａ４がボディＡ１に回動自在に固定されることになる。
【００６１】
制御系プリント基板Ａ６は、リード線ＡＬ１を介して検出系プリント基板Ａ４３と電気的に接続されている一方、電源系プリント基板Ａ７とも電気的に接続される。
【００６２】
電源系プリント基板Ａ７は、基板Ａ７１と、これに実装された３対の断面コ字状の端子板Ａ７２と、これら３対の端子板Ａ７２内にそれぞれ保持される３対の錠ばねＡ７３と、これら各対の錠ばねＡ７３間に介在する釦Ａ７４とにより構成されている。
【００６３】
カバーＡ８は、筒部Ａ１２の開口部を閉塞可能な箱状に形成されており、この側壁部には各係合突片Ａ１２ａの係合孔に填り込む係合突部Ａ８ａが形成されている一方、上面片側には各組みの錠ばねＡ７３および端子板Ａ７２間に連通する電線挿入孔Ａ８ｂが形成されており、これら各対の電線挿入孔Ａ８ｂ間近傍には釦Ａ７４に連通する治具挿入孔Ａ８ｃが形成されている。従って、回動自在にボディＡ１に固定された熱線センサ格納部Ａ４上に制御系プリント基板Ａ６および電源系プリント基板Ａ７が位置するようにして、各係合突部Ａ８ａを、対応する係合突片Ａ１２ａの係合孔に填め込むと、筒部Ａ１２の開口部がカバーＡ８によって閉塞されて、ボディＡ１およびカバーＡ８内に制御系プリント基板Ａ６および電源系プリント基板Ａ７が収納されることになる。また、電線の導体線を電線挿入孔Ａ８ｂに挿入すれば、連通先の端子板Ａ７２とこれに弾性接触する錠ばねＡ７３との間にその導体線が弾性挟持されることとなる。さらに、治具挿入孔Ａ８ｃにマイナスドライバの先端部などを挿入すれば、連通先の釦Ａ７４が押されて錠ばねＡ７３を押接し、これにより導体線が弾性挟持されている電線の引抜きが可能になる。なお、カバーＡ８には、各電線挿入孔Ａ８ｂを覆うようにして端子カバーＡ９が着脱自在に取り付けられる。
【００６４】
ここで、第２実施形態の換気扇子器は、第１実施形態で説明したように、図１のブロック構成になっているが、より具体的には、図５に示すような回路で構成され、図中の制御回路部（マイコン）３０７によって、リレーＲＬの接点を介して、換気扇５が接続される負荷端子部３３２への通電制御などの各種処理が実行されるようになっている。そして、これらの電気回路部３０（図１参照）は、検出系プリント基板Ａ４３、制御系プリント基板Ａ６および電源系プリント基板Ａ７に実装され、１００Ｗ（１００Ｖ用）、２００Ｗ（２００Ｖ用）の換気扇を接続することができる負荷容量に設定されている。
【００６５】
また、回転自在の熱線センサ格納部Ａ４のセンサの軸が直下を向いているときの人体検出エリアは、図６に示すようなエリアに設定されている。すなわち、図６（ａ）のＡＲ１内の範囲で示すように、熱線センサの全検出エリアが有効となっているとき、２ｍ直下でφ２．８ｍ、２．５ｍ直下でφ３．５ｍ、４．９ｍ直下でφ３．５ｍ、そして５ｍ直下でφ３．３ｍの範囲内の人体を検出することができる。これに対し、熱線センサ格納部Ａ４の前方の外周部を覆うレンズフードが装着されていれば、図６（ａ）のＡＲ２の範囲で示すように、熱線センサの全検出エリアのうち中央部の検出エリアが有効となるため、人体検出エリアは、２ｍ直下でφ１．３ｍそして５ｍ直下でφ３．３ｍの範囲となる。
【００６６】
以上、第２実施形態によれば、人体からの熱線によりその有無検出を行うセンサ回路部３０１と、商用電源に接続するための電源端子部３３１と、換気扇５を接続するための負荷端子部３３２と、子器端子部１３３に電線を介して接続される端子部３３３と、動作保持時間を所定範囲の時間内の所望時間に設定するための動作保持時間設定ボリューム３０２と、端子部３３３およびセンサ回路部３０１の少なくとも一方から人体有りの検出結果が得られる毎に、動作保持時間設定ボリューム３０２で設定された動作保持時間、負荷端子部３３２に対して電源端子部３３１から得られる電力の供給を行う制御を実行する制御回路部３０７とを備えるので、広いスペースで換気扇５の遅れＯＦＦが可能となる。
【００６７】
なお、動作保持時間設定ボリューム３０２は、連続可変のボリュームに限らず、多段切替用のセレクタスイッチにより構成される動作保持時間設定スイッチでもよい。
【００６８】
（第３実施形態）
図７は熱線センサ付自動スイッチ親器および熱線センサ付自動スイッチ子器を含む自動スイッチシステムの構成例を示す図であり、この図を参照しながら本発明の第３実施形態について説明する。ただし、図７（ｂ）は図７（ａ）中のα部分の拡大図、図７（ｃ）は図７（ａ）中のβ部分の拡大図である。
【００６９】
第３実施形態の親器１には、図７（ｂ）に示すように、第１実施形態との相違点として、連続可変のボリュームにより構成される動作保持時間設定ボリューム１０２に代えて、多段切替用の多接点スイッチにより構成される動作保持時間設定スイッチ１０２Ａが設けられる。具体数値例として、第１実施形態では１０秒から６分程度になっているが、第３実施形態では、図７（ｂ）に示すように、１０秒から３０分の９ポイントの時間内で動作保持時間を設定することができる。また、センサ部１０３の動作周囲照度（検出感度）も明るさ設定ツマミ１０３ａにより変更することができるようになっている。
【００７０】
他方、第３実施形態の換気扇子器３には、図７（ｃ）に示すように、連続可変のボリュームにより構成される動作保持時間設定ボリューム３０２に代えて、多段切替用の多接点スイッチにより構成される動作保持時間設定スイッチ３０２Ａが設けられる（図４（ａ）参照）。具体数値例としては、１０秒から３０分の９ポイントの時間内で動作保持時間を設定することができる。図７（ｃ）では、動作保持時間が２０分に設定されているので、この場合、検出エリア内に人体有りの検出結果が２０分間得られなければ、換気扇５への電力供給が停止して換気扇５の動作が停止することになり、検出エリア内に人体有りの検出結果が２０分以内に得られれば、その検出時点で動作保持時間がリセットされ、換気扇５の動作時間が延長されることになる。
【００７１】
このように、親器１に、所定範囲の時間内から所望時間を選択させてそれを動作保持時間に設定するための動作保持時間設定スイッチ１０２Ａを設ける一方、換気扇子器３に、所定範囲の時間内から所望時間を選択させてそれを動作保持時間に設定するための動作保持時間設定スイッチ３０２Ａを設けることにより、照明器具４と換気扇５の遅れ時間を自由に調整することができる。
【００７２】
（第４実施形態）
図８は換気扇子器のブロック構成図であり、この図を参照しながら本発明の第４実施形態について説明する。
【００７３】
第４実施形態の換気扇子器は、図８に示すように、第１実施形態との相違点として、この動作保持時間設定ボリューム３０２に代えて、多接点切替スイッチなどにより構成される動作保持時間設定スイッチ３０２Ａを備えているほか、センサ回路部３０１が制御回路部３０７に直結され（図５の３０１，３０７参照）、制御回路部３０７と子器ライン信号検出部３００との間がフォトカプラ（図５のＰＴＲ１，ＰＴＲ２参照）を介して接続され、子器ライン信号検出部３００と制御回路部３０７との間が絶縁された電気回路部３０Ａを備えている。
【００７４】
このように、子器ライン信号検出部３００を他の回路から絶縁しても、子器ライン信号検出部３００は、外部から端子部３３３に供給される直流電力によって動作可能である。そして、子器ライン信号検出部３００を他の回路から絶縁することにより、図７に示したシステム構成において、親器１に印加する商用電源ＡＣの電圧と、換気扇子器３に印加する商用電源ＡＣの電圧とを必ずしも一致される必要がなく、親器１の照明器具４と換気扇子器３の換気扇５の異種電圧混在による商品配線が可能となる。すなわち、１００Ｖの照明器具４と１００Ｖの換気扇５、または２００Ｖの照明器具４と２００Ｖの換気扇５を接続することができる以外に、１００Ｖの照明器具４と２００Ｖの換気扇５、または２００Ｖの照明器具４と１００Ｖの換気扇５を接続することが可能になるのである。
【００７５】
以上、第４実施形態によれば、換気扇子器の電気回路部３０Ａの各部のうち、少なくとも子器ライン信号検出部３００側を他の部分から絶縁することにより、親器１の照明器具４と換気扇子器３の換気扇５の異種電圧混在による商品配線が可能となる。
【００７６】
また、端子部３３３への接続がない状態でも、子器ライン信号検出部３００以外の電気回路部３０Ａが動作可能であるので、商用電源ＡＣと換気扇５の接続だけで換気扇５の人体検出動作が可能となる。つまり、単品使用が可能になるのである。
【００７７】
なお、図８において、制御回路部３０７は、センサ回路部３０１から人体有りの検出結果が得られる毎に、設定された動作保持時間、開閉部３０４を通じ、負荷端子部３３２に対して電源端子部３３１から得られる電力の供給を行うとともに、その人体有りの検出結果を含む信号を端子部３３３から送出する構成でもよい。ただし、この構成の場合、図８中の子器ライン信号検出回路部３００を、図１中の子器信号送出・検出回路部２００と同様の回路構成にする必要がある。
【００７８】
（第５実施形態）
図９は子器増設機能付子器のブロック構成図、図１０は同子器増設機能付子器、熱線センサ付自動スイッチ親器および熱線センサ付自動スイッチ子器を含む自動スイッチシステムの構成例を示す図、図１１は同子器増設機能付子器の分解斜視図、図１２は同子器増設機能付子器を各方向から見た平面図、図１３は同子器増設機能付子器の使用状態説明図であり、これらの図を参照しながら本発明の第５実施形態について説明する。
【００７９】
図１０に示す自動スイッチシステムは、第１実施形態と同様の親器１（最大接続負荷容量８Ａ、子器接続可能数６台）および子器２に加えて、子器増設ユニット６（本発明の第５実施形態に係る子器増設機能付子器）を含んでいる。また、図１０において、４Ａは照明器具４などの負荷であり、７は負荷増設ユニットである。なお、子器２に代えて換気扇子器３を接続してもよいことは言うまでもない。
【００８０】
子器増設ユニット６は、図９，図１０に示すように、商用電源ＡＣに接続するための電源端子部６３１と、親器１の子器端子部１３３側に接続される端子部６３３と、増設される子器（接続可能数６台）が接続される端子部６３３Ａとを備えているほか、親器側子器ライン信号検出回路部６００と、増設側子器ライン信号検出回路部６００Ａと、センサ回路部６０１と、定電圧回路部６０５と、信号処理部６０７とを備えている。
【００８１】
電源端子部６３１、端子部６３３および端子部６３３Ａの各々は、図１１に示すように、一対の端子板Ａ７２、一対の錠ばねＡ７３および一の釦Ａ７４により構成される速結端子となっている。
【００８２】
図９に戻って、親器側子器ライン信号検出回路部６００は、人体の有無検出結果を含む信号送受信用であり、少なくとも、得られた人体の有無検出結果を含む信号を端子部６３３から送出する。他方、増設側子器ライン信号検出回路部６００Ａは、人体の有無検出結果を含む信号送受信用であり、少なくとも、端子部６３３Ａから人体の有無検出結果を含む信号を受信する。
【００８３】
センサ回路部６０１は、熱線センサを含み、人体からの熱線によりその有無検出を行うものである。定電圧回路部６０５は、電源端子部６３１からの交流電力（電圧は１００Ｖまたは２００Ｖ）を整流および平滑などし、得られた定電圧の直流電力を制御回路部６０７などに供給するものである。
【００８４】
信号処理部６０７は、親器側子器ライン信号検出回路部６００および増設側子器ライン信号検出回路部６００Ａを介して、親器１との間で人体の有無検出結果を含む信号伝送を行うものである。例えば、信号処理部６０７は、センサ回路部６０１または増設側子器ライン信号検出回路部６００Ａから人体有りの検出結果が得られたとき、その検出結果を含む信号を親器側子器ライン信号検出回路部６００から親器１に伝送する。
【００８５】
このような電気回路部６０は、図１１，図１２に示すように、ボディＡ１およびカバーＡ８によりなるハウジング内に収納される検出系プリント基板Ａ４３および制御系・電源系プリント基板Ｂ６に実装される。制御系・電源系プリント基板Ｂ６には、親器側子器ライン信号検出回路部６００、増設側子器ライン信号検出回路部６００Ａ、定電圧回路部６０５および信号処理部６０７が実装される。また、図９に示すように、親器側子器ライン信号検出回路部６００は、フォトカプラなどのフォトデバイスを介して信号処理部６０７に接続され、親器側子器ライン信号検出回路部６００と信号処理部６０７との間が絶縁状態になっている。
【００８６】
なお、子器増設ユニット６の機構的構造は、上記制御系・電源系プリント基板Ｂ６および以下の図１２の相違点を除き、図３の各部と同様である。図１２の相違点とは、図４に対するものであり、子器増設ユニット６には、図１２（ａ）に示すように、図４（ａ）で示した動作保持時間設定ボリューム３０２は設けられない。
【００８７】
そして、このように構成される子器増設ユニット６は、図１３に示すように、天井に設置されて使用されることになる。なお、図１３中のＤはマイナスドライバの先端部であり、プレートＡ３の外し方を示している。
【００８８】
以上、第５実施形態によれば、人体からの熱線によりその有無検出を行うセンサ回路部６０１と、親器１の子器端子部１３３側に接続される端子部６３３と、増設される子器が接続される端子部６３３Ａと、端子部６３３に接続される親器１との間で人体の有無検出結果を含む信号伝送を行う制御回路部６０７とを備えているので、端子部６３３Ａ側に子器を接続することにより、より多い箇所に設置された各子器による人体の有無検出結果が親器１にさらに送信されて収集されるようになるから、より多い箇所での人体の有無検出結果による負荷の一括制御が可能となる。
【００８９】
また、人体からの熱線によりその有無検出を行うセンサ回路部６０１を備えたことにより、子器増設機能に加えて、当該子器増設ユニット６を子器２として使用することができる。
【００９０】
さらに、親器側子器ライン信号検出回路部６００と信号処理部６０７との間が絶縁状態になっているので、親器１への商用電源の電圧に関係なく、子器増設ユニット６への商用電源の電圧を設定することができる。
【００９１】
（第６実施形態）
図１４は負荷増設ユニットのブロック構成図、図１５は同負荷増設ユニットの分解斜視図、図１６は同負荷増設ユニットを各方向から見た平面図であり、これらの図を参照しながら本発明の第６実施形態について説明する。
【００９２】
図１０に示した負荷増設ユニット７は、図１４に示すように（図１０参照）、商用電源ＡＣに接続するための電源端子部７３１と、照明器具４などの負荷４Ａ（負荷容量：最大８Ａ，ＡＣ１００Ｖの場合は８００Ｗ、ＡＣ２００Ｖの場合は１６００Ｗ）を接続するための負荷端子部７３２と、親器１の負荷端子部１３２側に接続される制御入力端子部７３３とを備えているほか、制御入力検出回路部７００と、開閉部７０４と、定電圧回路部７０５と、制御回路部７０７とを備えている。
【００９３】
電源端子部７３１、負荷端子部７３２および制御入力端子部７３３の各々は、図１５に示すように、一対の端子板Ａ７２、一対の錠ばねＡ７３および一の釦Ａ７４により構成される速結端子となっている。
【００９４】
制御入力検出回路部７００は、図１４に示すように、制御入力端子部７３３への商用電源の電圧（ＡＣ１００ＶまたはＡＣ２００Ｖ）から、親器１による直下の負荷４Ａに対する負荷制御状態を検出するものである。具体的には、親器１が直下の負荷４Ａを駆動する場合には、制御入力端子部７３３からその負荷４Ａに対する商用電源ＡＣの電圧を検出することができるので、負荷４Ａに対する商用電源ＡＣの電圧の有無に応じて、負荷制御状態を検出することができる。また、制御入力検出回路部７００は、フォトカプラなどのフォトデバイスを介して制御回路部７０７に接続され、制御入力検出回路部７００と制御回路部７０７との間が絶縁状態になっている。
【００９５】
開閉部７０４は、電源端子部７３１と負荷端子部７３２との間に介設される開閉制御端子付きのスイッチ（図１５の例ではリレーＲＬ）であり、このスイッチがオンになると、電源端子部７３１を負荷端子部７３２に接続する。
【００９６】
定電圧回路部７０５は、電源端子部７３１からの交流電力（電圧は１００Ｖまたは２００Ｖ）を整流および平滑などし、得られた定電圧の直流電力を制御回路部７０７などに供給するものである。
【００９７】
制御回路部７０７は、制御入力検出回路部７００で検出された負荷制御状態に応じて開閉部７０４の開閉制御を行うものである。例えば、親器１が直下の負荷４Ａを駆動しているという負荷制御状態が検出されたとき、開閉部７０４のスイッチをオンにし、そうでなければそのスイッチをオフにする。
【００９８】
このような電気回路部７０は、図１５，図１６に示すように、ボディＡ１およびカバーＡ８によりなるハウジング内に収納される制御系プリント基板Ｃ６および電源系プリント基板Ｃ７に実装される。制御系プリント基板Ｃ６には制御入力検出回路部７００および開閉部７０４が実装され、電源系プリント基板Ｃ７には定電圧回路部７０５および制御回路部７０７が実装される。
【００９９】
また、図１５において、制御系プリント基板Ｃ６および電源系プリント基板Ｃ７は、リード線ＡＬ１およびテープ線ＡＬ２により電気的に接続され、ハウジング内には、図３，図１１に示すような熱線センサ格納部Ａ４および支持部材Ａ５は収納されない。
【０１００】
以上、第６実施形態によれば、商用電源ＡＣに接続するための電源端子部７３１と、負荷４Ａを接続するための負荷端子部７３２と、親器１の負荷端子部１３２側に接続される制御入力端子部７３３と、電源端子部７３１と負荷端子部７３２との間の接続を開閉する開閉部７０４と、制御入力端子部７３３から、親器１による直下の負荷４Ａに対する負荷制御状態を検出する制御入力検出回路部７００と、この制御入力検出回路部７００で検出された負荷制御状態に応じて開閉部７０４の開閉制御を行う制御回路部７０７とを備える負荷増設ユニット７を設けたので、親器１が複数の子器を一括制御することができる。
【０１０１】
また、制御入力端子部７３３から、親器１による直下の負荷４Ａに対する負荷制御状態を検出するようにしたので、その負荷制御状態を検出するために余分な制御信号線などを引き回すことなく、スッキリした配線が可能となり、負荷増設ユニット７を増設することで、負荷を限りなく親器１の制御下に加えることができる。
【０１０２】
また、ボディＡ１およびカバーＡ８によりなり天井に取り付けられるボディを備えるので、分電盤のマグネット等を使った開閉器に配線する必要がなく、天井取付型にすることで配線が容易となる。
【０１０３】
さらに、制御入力検出回路部７００と制御回路部７０７との間が絶縁状態になっているので、負荷増設ユニット７を挟んだ両サイドの負荷の電圧を同一にする必要がない。
【０１０４】
（第７実施形態）
図１７は親器、子器、換気扇子器、子器増設ユニットおよび負荷増設ユニットを含む自動スイッチシステムの構成図、図１８は図１７中の親器の分解斜視図、図１９は同親器を各方向から見た平面図、図２０は同親器の人体検出エリアの説明図、図２１は図１７中の子器の分解斜視図、図２２は同子器を各方向から見た平面図であり、これらの図を参照しながら本発明の第７実施形態について説明する。
【０１０５】
第７実施形態の自動スイッチシステムは、親器、子器、換気扇子器、子器増設ユニットおよび負荷増設ユニットを含み、図１７に示すように、それぞれの電気回路部１０，２０，３０Ａ，６０，７０が電線を介して接続されている。
【０１０６】
ここで、親器の機構的構造について補説すると、親器は、図１８，図１９に示すように、これまでに説明した換気扇子器、子器増設ユニットおよび負荷増設ユニットの機構的構造のうち、図３の換気扇子器の構造に最も類似している。その換気扇子器との相違点は、プリント基板Ｄ６，Ｄ７に図１で説明した電気回路部１０を実装している点と、レンズＡ４２よりも広角なレンズＢ４２を備えている点である。なお、従来の親器も広角でないレンズであった。
【０１０７】
レンズＢ４２は、最内周に周設された４分割のレンズ部と、これら４分割のレンズ部の外周に周設された１０分割のレンズ部と、これら１０分割のレンズ部の外周に周設された１６分割のレンズ部とを一体に有する構造になっている。これにより、人体検出エリアが図２０に示すように拡大する。すなわち、２．５ｍ直下でφ７．０ｍ、３．５ｍ直下でφ９．８ｍとなり、レンズフード装着時には、２．５ｍ直下でφ３．１ｍ、３．５ｍ直下でφ４．４ｍとなる。
【０１０８】
子器の機構的構造について補説すると、子器は、図２１，図２２に示すように、これまでに説明した換気扇子器、子器増設ユニットおよび負荷増設ユニットの機構的構造のうち、図１１の子器増設ユニットの構造に最も類似している。その子器増設ユニットとの相違点は、プリント基板Ｅ６に図１で説明した電気回路部２０を実装している点と、レンズＡ４２よりも広角なレンズＢ４２を備え、人体検出エリアが図２０に示したように拡大している点である。
【０１０９】
このようなシステムを提供することにより、例えば図２３に示すようなシステムを容易に構成することができる。なお、図２３中の８は、負荷の操作ユニットである。また、図２３中の親器１、換気扇子器３、負荷増設ユニット７、子器増設ユニット６および子器２の各電気回路部については既に説明したが、それぞれの概略構成を図２４（ａ）〜（ｅ）に示し、操作ユニット８の概略構成を図２４（ｆ）に示す。
【０１１０】
このような自動スイッチシステムでは、親器１、子器２、換気扇子器３および子器増設ユニット６のうち、いずれかが人体有りの検出をすれば、照明側の親器については、明るさセンサの照度設定により、照明をオンしたり、オフ状態を維持したりする。また、換気扇子器３は、人体有りの検出をすると、換気扇５を設定タイマ分動作させる。
【０１１１】
親器１、子器２、換気扇子器３および子器増設ユニット６の各々については、１００Ｖと２００Ｖの商品がラインアップされており、商品の組合せにより、照明での異種電源、照明・換気扇での異種電源の配線が可能となる。
【０１１２】
例えば、ＡＣ１００／２００Ｖの親器は定格が８Ａであり、接続灯数はこの定格で決まるので、ＡＣ１００Ｖの場合には最大８００Ｗまで接続可能であり、ＡＣ２００Ｖの場合には最大１６００Ｗまで接続可能である。ここで、照明器具のインバータ蛍光灯の接続灯数を図２５，図２６に示す。図２５（ａ）はＰＳインバータ（ＥＮＨ）、（ｂ）はＰＣインバータ（ＥＣＨ）、（ｃ）はＨｆインバータ（ＰＴ・ＰＲ）、（ｄ）はＨｆインバータ（ＰＮ）、（ｅ）はＨｆインバータ（ＰＳ）、（ｆ）はＰＳインバータ（ＥＮＭ，ランプフリー）、（ｇ）はＰＣインバータ（ＥＤＨ）、（ｈ）はＨｆインバータ（ＰＨ・ＳＰＨ）、（ｉ）はＨｆインバータ（ＰＥ）、（ｊ）はＨｆインバータ（ＰＤ）、そして（ｋ）はＨＦインバータ（ＰＨ）である。図２６（ａ）はストロングインバータ（Ｅ）、（ｂ）はツインＰａ、（ｃ）は電球型蛍光灯、（ｄ）はその他の照明負荷の接続灯数である。
【０１１３】
負荷増設ユニット７により、照明負荷の増設、つまり高容量化が可能となる。子器増設ユニット６により、さらなる多箇所検知が可能となり、公共施設等の広いスペースでの使用が可能となる。熱源を検出すると、親器１および換気扇子器３は、設定された動作時間だけ、照明点灯、換気扇駆動を開始する。照明点灯、換気扇駆動中に再度熱源を検出すると、タイマ時間がリトリガされる。親器または換気扇子器の動作保持時間について、動作保持時間の設定手段が多接点スイッチである場合、例えば約１０秒から３０分の範囲内で９つの動作保持時間を設定することも可能である。親器、換気扇子器は、それぞれ照明用の手動スイッチ・換気扇手動スイッチが内蔵されており、強制的に、オン、オフ、自動の切替えが可能である。照明を点灯させる照度を設定する明るさセンサは、約５ｌｘ以下から１００００ｌｘ以上の設定が可能で、様々なスペースにおいても最適な点灯照度の設定ができる。
【０１１４】
ここで、従来では、図２７，図２８に示すように、マグネットＭＧを使用して親器および子器の（多箇所）配線が行われていたので、盤への配線等が必要であった。また、スイッチには制御の制限があった。
【０１１５】
これに対して、本自動スイッチシステムによれば、多箇所検出が可能（子器増設ユニットの接続にて子器台数の制限無し）であり、高容量負荷への埋設が簡単になり（マグネット等が不要）、子器増設ユニットとの併用で１００Ｖ，２００Ｖの異種電源負荷の混在制御が可能になり、そして多箇所検出、高容量の負荷制御、照明・換気扇との連動制御（遅れオフ制御）の可能なシステムを構成することができるなどの効果が得られる。
【０１１６】
また、親器１、子器２、換気扇子器３、子器増設ユニット６および負荷増設ユニット７の各々が天井に取り付けられるので、天井のみの配線工事で自動スイッチシステムを構成することができる。
【０１１７】
（第８実施形態）
図２９は親器、子器および換気扇子器を含む自動スイッチシステムを示す図、図３０は図２９の同システムの動作説明図、図３１は図２９中の親器の回路構成図であり、これらの図を参照しながら本発明の第８実施形態について説明する。
【０１１８】
図２９に示す自動スイッチシステムは、第１実施形態の最後の段落で説明したように、子器信号送出・検出回路部１００を通じ、子器端子部１３３からセンサ回路部１０１の検出結果を外部に出力するように、親器１の制御回路部１０７を構成したことを特徴とする。
【０１１９】
ただし、この構成の場合、子器信号送出・検出回路部１００は、図３０，図３１に示すように、制御回路部１０７から、例えば人体有りの検出結果を含む信号の送出指示を受けると、その信号を子器端子部１３３から送出するように構成される。
【０１２０】
図３１の回路構成例において、制御回路部１０７は、センサ回路部１０１の熱線センサを構成する焦電素子１０１ａから人体有りの検出結果を受け取ると、人体有りの検出結果を含む信号の送出指示としてオン信号を子器信号送出・検出回路部１００に出力する。子器信号送出・検出回路部１００は、制御回路部１０７からその指示（オン信号）を受けると、トランジスタＴｒ１００をオンにして、ツェナーダイオードＺＤ１００をグランドに接続し、そのツェナー電圧を人体有りの検出結果を含む信号として子器端子部１３３から送出する。
【０１２１】
図３０の例は、定電圧回路部１０５の出力で子器端子部１３３にＤＣ１２Ｖの電圧が現れ、この電圧が６．５Ｖの上記ツェナー電圧に低下することにより、人体有りの検出結果を含む信号が子器端子部１３３に接続される子器ラインに送出されることを示している。また、人体有りの検出結果を含む信号は、周囲の明るさに関係なく送出されている。なお、人体無しの検出結果を含む信号はＤＣ１２Ｖになることは言うまでもない。
【０１２２】
ここで、従来、天井取付タイプの熱線センサ付自動スイッチは、一般住宅を想定してリレー、半導体素子にて２，３Ａの負荷制御を行うものであった。子器接続は２台まで可能であり、人体検出エリアの拡張に限界があった。容量をオーバーしている負荷の場合、また多箇所で人体検出をする場合、マグネットなどを用いた配線しかなく、広いスペースでの使用が難しかった（図２７，図２８）。
【０１２３】
これに対し、本自動スイッチシステムによれば、システム内における人体の有無検出結果の全てを制御信号として使用することができる。また、この場合、換気扇子器３の制御回路部３０７が、切替スイッチ３０６で「自動」に設定されている場合、端子部３３３およびセンサ回路部３０１の少なくとも一方から人体有りの検出結果が得られる毎に、動作保持時間設定ボリューム３０２で設定された動作保持時間、開閉部３０４を閉状態にして、負荷端子部３３２に対して電源端子部３３１から得られる電力の供給を行うことになるので、より広いスペースで換気扇５の遅れＯＦＦが可能となる。
【０１２４】
また、周囲の明るさに関係なく、人体の有無検出結果を含む信号が送出されるので、換気扇子器３を通じて換気扇５を好適に駆動することができる。
【０１２５】
（第９実施形態）
図３２は親器のブロック構成図、図３３は図３２中のハイブリッドの開閉部の動作説明図であり、これらの図を参照しながら本発明の第９実施形態について説明する。
【０１２６】
第９実施形態の親器は、これまでの各実施形態の親器との相違点として、図３２に示すように、ハイブリット構成の開閉部１０４Ａおよび制御回路部１０７を備えている。なお、図３２（ａ）中の１０３ａは、図１９（ａ）に示した明るさ設定ツマミである。
【０１２７】
開閉部１０４Ａは、リレーにより構成され負荷端子部１３２を電源端子部１３１に電気的に接続するためのリレー開閉部１０４ａと、半導体スイッチング素子により構成され負荷端子部１３２を電源端子部１３１に電気的に接続するための半導体開閉部１０４ｂとを備えているほか、遅延回路部１０４ｃと、リレー制御部１０４ｄと、半導体制御部１０４ｅとを備えている。
【０１２８】
遅延回路部１０４ｃは、負荷端子部１３２を電源端子部１３１に電気的に接続するためのＳＥＴ信号を、制御回路部１０７から受信したとき、そのＳＥＴ信号を所定時間遅延するものである。ここで、ＳＥＴ信号は、例えば人体有りの検出結果が得られると出力される。
【０１２９】
リレー制御部１０４ｄは、ＳＥＴ信号の遅延された立上り時点でリレー開閉部１０４ａをオンにし、リレー開閉部１０４ａがオン状態である場合、負荷端子部１３２を電源端子部１３１から電気的に遮断するためのＲＥＳＥＴ信号の立上りに応じて、半導体開閉部１０４ｂのオン状態中にリレー開閉部１０４ａをオフにする制御を行うものである。ここで、ＲＥＳＥＴ信号は、例えば動作保持時間が経過したときに出力される。
【０１３０】
半導体制御部１０４ｅは、ゼロクロス検出機能を有し、ＳＥＴ信号またはＲＥＳＥＴ信号の立上りに応じて半導体開閉部１０４ｂをオンにし、ＳＥＴ信号またはＲＥＳＥＴ信号の立下りに応じて半導体開閉部１０４ｂをオフにし、少なくともＳＥＴ信号の立上りに応じて半導体開閉部１０４ｂをオンする時点を、ゼロクロス後に設定する制御を行うものである。
【０１３１】
このように構成される開閉部１０４Ａでは、図３３（ａ）に示すように、制御回路部１０７からＳＥＴ信号が出力されると、ＳＥＴ信号の立上りに応じてゼロクロス後に半導体開閉部１０４ｂがオンになり、ＳＥＴ信号の遅延された立上り時点でリレー開閉部１０４ａがオンになる。この後、ＳＥＴ信号の立下りに応じて（同図では立下り時点で）、半導体開閉部１０４ｂがオフになる。
【０１３２】
リレー開閉部１０４ａがオン状態である場合、図３３（ｂ）に示すように、制御回路部１０７からＲＥＳＥＴ信号が出力されると、ＲＥＳＥＴ信号の立上りに応じて、半導体開閉部１０４ｂが（同図では立上り時点で）オンになり、半導体開閉部１０４ｂのオン状態中にリレー開閉部１０４ａがオフになる。この後、ＳＥＴ信号の立下りに応じて（同図では立下り時点で）、半導体開閉部１０４ｂがオフになる。
【０１３３】
以上、第９実施形態によれば、開閉部１０４Ａおよび制御回路部１０７をハイブリット構成にしたので、部品点数を削減することができ、構成が簡単になる。
【０１３４】
また、リレーにより構成され負荷端子部１３２を電源端子部１３１に電気的に接続するためのリレー開閉部１０４ａと、半導体スイッチング素子により構成され負荷端子部１３２を電源端子部１３１に電気的に接続するための半導体開閉部１０４ｂとを備え、負荷端子部１３２を電源端子部１３１に電気的に接続する場合には、半導体開閉部１０４ｂをオンにし、半導体開閉部１０４ｂのオン中にリレー開閉部１０４ａをオンにし、この後、半導体開閉部１０４ｂをオフにする一方、負荷端子部１３２を電源端子部１３１から電気的に遮断する場合には、半導体開閉部１０４ｂをオンにし、半導体開閉部１０４ｂのオン中にリレー開閉部１０４ａをオフにし、この後、半導体開閉部１０４ｂをオフにするので、リレー開閉部１０４ａを構成するリレーの接点を各種不具合から保護することができ、超寿命である（開閉回数１０万回）。
【０１３５】
（第１０実施形態）
図３４はプレートを外した状態で親器の下面を見た平面図、図３５は図３４の一部拡大図であり、これらの図を参照しながら本発明の第１０実施形態について説明する。
【０１３６】
第１０実施形態の親器は、図３４，図３５に示すように、既に説明した如く、動作保持時間設定スイッチ１０２Ａにより１０秒から３０分の９ポイントの時間（１０秒、１分、３分、６分、１０分、１５分、２０分、２５分、３０分の各時間）内で動作保持時間を設定することができるほか、明るさ設定ツマミ１０３ａにより５ｌｘ以下から１００００ｌｘ以上範囲内で明るさセンサ部１０３の動作周囲照度を調整することができるようになっている。
【０１３７】
動作保持時間設定スイッチ１０２Ａは、マイナスドライバで動作保持時間を切替設定することができ、天井での操作性が良くなっている。明るさ設定ツマミ１０３ａは、指で回すことで、５ｌｘ以下、約２０ｌｘ以下、約４０ｌｘ以下、約２００ｌｘ以下、１００００ｌｘ以上（切）というように感度を調整することができる。特に、実使用に必要な５ｌｘから２００ｌｘの設定がし易いように、その範囲の回転量が多くなっている。
【０１３８】
【発明の効果】
以上のことから明らかなように、請求項１記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される熱線センサ付自動スイッチ子器であって、人体からの熱線によりその有無検出を行う子器側熱線センサ部と、商用電源に接続するための子器側電源端子部と、負荷を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備えるので、例えば、換気扇の遅れオフ動作と、昼間の明るい時間帯での換気扇のみの動作とが可能となり、複数の子器による複数箇所における検知結果に応じた負荷制御が可能となる。
【０１３９】
請求項２記載の発明は、請求項１記載の熱線センサ付自動スイッチ子器において、前記子器側熱線センサ部の電源は、前記子器側電源端子部からとられるので、熱線センサ付自動スイッチ親器とは別の電源で、熱線センサ付自動スイッチ子器における子器側熱線センサ部および制御部の双方を駆動させることができ、子器側電源端子部を商用電源に接続し、子器側負荷端子部に負荷を接続するだけでも、熱線センサ付自動スイッチ子器が単独で動作するようになるから、熱線センサ付自動スイッチ子器の単独動作が可能となる。
【０１４０】
請求項３記載の発明は、請求項１記載の熱線センサ付自動スイッチ子器において、前記子器側熱線センサ部の電源は、前記子器側端子部に接続される電線を介して前記熱線センサ付自動スイッチ親器からとられるので、子器側熱線センサ部を熱線センサ付自動スイッチ子器の制御部とは別の電源で駆動させることができ、子器側熱線センサ部と熱線センサ付自動スイッチ子器の制御部とを絶縁した回路構成が可能になる。
【０１４１】
請求項４記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備えるので、広いスペースで換気扇の遅れＯＦＦが可能となる。
【０１４２】
請求項５記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備え、前記熱線センサ付自動スイッチ親器の設定部は、所定範囲の時間内から所望時間を選択させてそれを動作保持時間に設定するための切替手段を備える一方、前記子器側設定部は、所定範囲の時間内から所望時間を選択させてそれを動作保持時間に設定するための切替手段を備えるので、負荷と換気扇の遅れ時間を自由に調整することができる。
【０１４３】
請求項６記載の発明は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える熱線センサ付自動スイッチ親器における前記子器端子部に接続される換気扇連動型の熱線センサ付自動スイッチ子器であって、人体からの熱線によりその有無検出を行う子器側熱線センサ部と、商用電源に接続するための子器側電源端子部と、換気扇を接続するための子器側負荷端子部と、前記子器端子部に電線を介して接続される子器側端子部と、動作保持時間を所定範囲の時間内の所望時間に設定するための子器側設定部と、前記子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部と、前記子器側端子部に接続され人体有無検出結果を含む信号送受信用の子器ライン信号検出部とを備え、光デバイスを介して少なくとも前記子器ライン信号検出部側を他の部分から絶縁して構成されるので、熱線センサ付自動スイッチ親器の負荷と熱線センサ付自動スイッチ子器の換気扇の異種電圧混在による商品配線が可能となる。
【０１４４】
請求項７記載の発明の子器増設機能付子器は、熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で信号伝送を行う制御部とを備えるので、より多い箇所での人体の有無検出結果による負荷の一括制御が可能となる。
【０１４５】
請求項８記載の発明の子器増設機能付子器は、熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、人体からの熱線によりその有無検出を行う増設側熱線センサ部と、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で前記有無検出結果を含む信号伝送を行う制御部とを備えるので、より多い箇所での人体の有無検出結果による負荷の一括制御が可能となるほか、子器増設機能付子器を熱線センサ付自動スイッチ子器として利用可能となる。
【０１４６】
請求項９記載の発明の負荷増設ユニットは、熱線センサ付自動スイッチ親器および熱線センサ付自動スイッチ子器を含み、前記熱線センサ付自動スイッチ親器が、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備える一方、前記熱線センサ付自動スイッチ子器が、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備えるシステムで使用され、商用電源に接続するための負荷増設側電源端子部と、負荷を接続するための負荷増設側負荷端子部と、前記熱線センサ付自動スイッチ親器の負荷端子部側に接続される制御入力端子部と、前記負荷増設側電源端子部と前記負荷増設側負荷端子部との間の接続を開閉する開閉部と、前記制御入力端子部から、前記熱線センサ付自動スイッチ親器による直下の負荷に対する負荷制御状態を検出する制御入力検出部と、この制御入力検出部で検出された負荷制御状態に応じて前記開閉部の開閉制御を行う負荷増設側制御部とを備えるので、熱線センサ付自動スイッチ親器が複数の熱線センサ付自動スイッチ子器を一括制御することができる。
【０１４７】
請求項１０記載の発明は、請求項９記載の負荷増設ユニットにおいて、前記制御入力検出部は、前記制御入力端子部から得られる商用電源の電圧から前記負荷制御状態を検出するので、その負荷制御状態を検出するために余分な制御信号線などを引き回すことなく、スッキリした配線が可能となり、負荷増設ユニットを増設することで、負荷を限りなく熱線センサ付自動スイッチ親器の制御下に加えることができる。
【０１４８】
請求項１１記載の発明は、請求項９または１０記載の負荷増設ユニットにおいて、前記負荷増設側電源端子部、負荷増設側負荷端子部、制御入力端子部、開閉部および負荷増設側制御部を収納し天井に取り付けられるハウジングを備え、前記開閉部をリレーで構成したので、分電盤のマグネット等を使った開閉器に配線する必要がなく、天井取付型にすることで配線が容易となる。
【０１４９】
請求項１２記載の発明は、熱線センサ付自動スイッチ親器、第１熱線センサ付自動スイッチ子器、第２熱線センサ付自動スイッチ子器、子器増設機能付子器および負荷増設ユニットを含む自動スイッチシステムであって、前記熱線センサ付自動スイッチ親器は、人体からの熱線によりその有無検出を行う熱線センサ部と、商用電源に接続するための電源端子部と、負荷を接続するための負荷端子部と、外部から人体の有無検出結果を得るための子器端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備え、前記第１熱線センサ付自動スイッチ子器は、前記子器端子部に電線を介して接続される子器側端子部と、人体からの熱線によりその有無検出を行う子器側熱線センサ部と、この子器側熱線センサ部で人体有りの検出結果が得られると、これを前記子器側端子部から送出する子器信号送出・検出部とを備え、前記第２熱線センサ付自動スイッチ子器は、人体からの熱線によりその有無検出を行う子器側熱線センサ部と、商用電源に接続するための子器側電源端子部と、換気扇を接続するための子器側負荷端子部と、動作保持時間を所定範囲の時間内の所望時間に設定するための子器側設定部と、前記子器端子部に電線を介して接続される子器側端子部と、この子器側端子部および子器側熱線センサ部の少なくとも一方から人体有りの検出結果が得られる毎に、前記子器側設定部で設定された動作保持時間、前記子器側負荷端子部に対して前記子器側電源端子部から得られる電力の供給を行う制御を実行する制御部とを備え、前記子器増設機能付子器は、人体からの熱線によりその有無検出を行う増設側熱線センサ部と、前記熱線センサ付自動スイッチ親器の子器端子部側に接続される第１端子部と、増設される前記熱線センサ付自動スイッチ子器が接続される第２端子部と、前記第１端子部に接続される前記熱線センサ付自動スイッチ親器との間で人体の有無検出結果を含む信号伝送を行う制御部とを備え、前記負荷増設ユニットは、商用電源に接続するための負荷増設側電源端子部と、負荷を接続するための負荷増設側負荷端子部と、前記熱線センサ付自動スイッチ親器の負荷端子部側に接続される制御入力端子部と、前記負荷増設側電源端子部と前記負荷増設側負荷端子部との間の接続を開閉する開閉部と、前記制御入力端子部から、前記熱線センサ付自動スイッチ親器による直下の負荷に対する負荷制御状態を検出する制御入力検出部と、この制御入力検出部で検出された負荷制御状態に応じて前記開閉部の開閉制御を行う負荷増設側制御部とを備えるので、多箇所検出が可能であり、高容量負荷への埋設が簡単になり、子器増設機能付子器との併用で異種電源負荷の混在制御が可能になり、そして多箇所検出、高容量の負荷制御、負荷・換気扇との連動制御（遅れオフ制御）の可能なシステムを構成することができるなどの効果が得られる。
【０１５０】
請求項１３記載の発明は、請求項１２記載の自動スイッチシステムにおいて、前記熱線センサ付自動スイッチ親器、第１熱線センサ付自動スイッチ子器、第２熱線センサ付自動スイッチ子器、子器増設機能付子器および負荷増設ユニットの各々は、天井に取り付けられるハウジングを備えているので、天井のみの配線工事で自動スイッチシステムを構成することができる。
【０１５１】
請求項１４記載の発明の熱線センサ付自動スイッチ親器は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記負荷端子部に対して前記電源端子部から得られる電力の供給を行うとともに、前記切替部による切替えが有効であって前記照度センサ部による照度の検出結果が所定照度を上回っていれば、前記負荷端子部に対する前記電源端子部から得られる電力の供給を禁止する制御を実行する制御部とを備え、この制御部は、前記熱線センサ部による人体の有無検出結果を前記子器端子部から送出する制御をさらに実行するので、システム内における人体の有無検出結果の全てを制御信号として利用可能となる。
【０１５２】
請求項１５記載の発明は、請求項１４記載の熱線センサ付自動スイッチ親器において、前記制御部は、前記照度センサ部の検出結果に関係なく、前記熱線センサ部による人体の有無検出結果を前記子器端子部から送出する制御を実行するので、換気扇を負荷とする熱線センサ付自動スイッチ子器を通して、換気扇を好適に駆動することができる。
【０１５３】
請求項１６記載の発明の熱線センサ付自動スイッチ親器は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備え、前記開閉部および制御部を組み合わせてハイブリット構成にしたので、部品点数を削減することができ、構成が簡単になる。
【０１５４】
請求項１７記載の発明は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備えた熱線センサ付自動スイッチ親器であって、前記照度センサ部の動作周囲照度を、予め設定された範囲内から選択された所望の照度に設定するための明るさ設定手段を設けたので、様々なニーズに応えることができ、種々のスペースでの柔軟性のある照度設定が可能となる。
【０１５５】
請求項１８記載の発明の熱線センサ付自動スイッチ親器は、人体からの熱線によりその有無検出を行う子器側熱線センサ部を備えた熱線センサ付自動スイッチ子器から送出される人体の有無検出結果を得るための子器端子部と、人体からの熱線によりその有無検出を行う熱線センサ部と、商用電源に接続するための電源端子部と、負荷を接続するための負荷端子部と、この負荷端子部と前記電源端子部との間の接続を開閉する開閉部と、動作保持時間を所定範囲の時間内の所望時間に設定するための設定部と、照度の検出を行う照度センサ部と、この照度センサ部の検出結果を有効または無効に切り替えるための切替部と、前記子器端子部および熱線センサ部の少なくとも一方から人体有りの検出結果が得られる毎に、前記設定部で設定された動作保持時間、前記開閉部に対する閉制御により前記負荷端子部に対して前記電源端子部から得られる電力の供給を行うとともに、前記切替部による切替えが有効であって前記照度センサ部による照度の検出結果が所定照度を上回っていれば、前記開閉部に対する開制御により前記負荷端子部に対する前記電源端子部から得られる電力の供給を禁止する制御を実行する制御部とを備え、前記設定部は、所定範囲の時間内から所望時間を選択させてそれを動作保持時間に設定するためのセレクタスイッチを備えるので、熱線センサ付自動スイッチ親器が天井取付型であったも、動作保持時間の設定が簡単になる。
【図面の簡単な説明】
【図１】熱線センサ付自動スイッチ親器および熱線センサ付自動スイッチ子器を含む自動スイッチシステム構成例を示す図である。
【図２】同システムにおける各機器の具体的な接続例を示す図である。
【図３】換気扇子器の具体構造を示す分解斜視図である。
【図４】同換気扇子器を各方向から見た平面図である。
【図５】同換気扇子器の回路図である。
【図６】同換気扇子器の人体検出エリアの説明図である。
【図７】熱線センサ付自動スイッチ親器および熱線センサ付自動スイッチ子器を含む自動スイッチシステムの構成例を示す図である。
【図８】換気扇子器のブロック構成図である。
【図９】子器増設機能付子器のブロック構成図である。
【図１０】同子器増設機能付子器、熱線センサ付自動スイッチ親器および熱線センサ付自動スイッチ子器を含む自動スイッチシステムの構成例を示す図である。
【図１１】同子器増設機能付子器の分解斜視図である。
【図１２】同子器増設機能付子器を各方向から見た平面図である。
【図１３】同子器増設機能付子器の使用状態説明図である。
【図１４】負荷増設ユニットのブロック構成図である。
【図１５】同負荷増設ユニットの分解斜視図である。
【図１６】同負荷増設ユニットを各方向から見た平面図である。
【図１７】親器、子器、換気扇子器、子器増設ユニットおよび負荷増設ユニットを含む自動スイッチシステムの構成図である。
【図１８】図１７中の親器の分解斜視図である。
【図１９】同親器を各方向から見た平面図である。
【図２０】同親器の人体検出エリアの説明図である。
【図２１】図１７中の子器の分解斜視図である。
【図２２】同子器を各方向から見た平面図である。
【図２３】自動スイッチシステムの配線例を示す図である。
【図２４】親器、換気扇子器、負荷増設ユニット、子器増設ユニット、子器および操作ユニットの概略構成を示す図である。
【図２５】照明器具のインバータ蛍光灯の接続灯数を示す図表である。
【図２６】照明器具のインバータ蛍光灯の接続灯数を示す図表である。
【図２７】マグネットを使用した従来の天井用の親器および子器の配線の様子を示す図である。
【図２８】マグネットを使用した従来の天井用の親器および子器の多箇所配線の様子を示す図である。
【図２９】親器、子器および換気扇子器を含む自動スイッチシステムを示す図である。
【図３０】図３０は図２９の同システムの動作説明図である。
【図３１】図２９中の親器の回路構成図である。
【図３２】親器のブロック構成図である。
【図３３】図３２中のハイブリッドの開閉部の動作説明図である。
【図３４】プレートを外した状態で親器の下面を見た平面図である。
【図３５】図３４の一部拡大図である。
【図３６】従来の熱線センサ付自動スイッチ親器の外観を示す図である。
【図３７】従来の熱線センサ付自動スイッチ親器と子器との接続例を示す図である。
【図３８】従来のトイレ用の熱線センサ付自動スイッチに対する負荷および電源の接続例を示す図である。
【符号の説明】
１  親器
１０  （親器の）電気回路部
１３１  電源端子部
１３２  負荷端子部
１３３  子器端子部
１０１  センサ回路部
１０２  動作保持時間設定ボリューム
１０３  明るさセンサ部
１０６  切替スイッチ
１０７  制御回路部
２  子器
２０  （子器の）電気回路部
２３１  端子部
３  換気扇子器
３０  （換気扇子器の）電気回路部
３３１  電源端子部
３３２  負荷端子部
３３３  端子部
３０１  センサ回路部
３０２  動作保持時間設定ボリューム
３０７  制御回路部
４  照明器具
５  換気扇
６  子器増設ユニット
７  負荷増設ユニット
【図１】
0003654255.tif 000002
【図２】
0003654255.tif 000003
【図３】
0003654255.tif 000004
【図４】
0003654255.tif 000005
【図５】
0003654255.tif 000006
【図６】
0003654255.tif 000007
【図７】
0003654255.tif 000008
【図８】
0003654255.tif 000009
【図９】
0003654255.tif 000010
【図１０】
0003654255.tif 000011
【図１１】
0003654255.tif 000012
【図１２】
0003654255.tif 000013
【図１３】
0003654255.tif 000014
【図１４】
0003654255.tif 000015
【図１５】
0003654255.tif 000016
【図１６】
0003654255.tif 000017
【図１７】
0003654255.tif 000018
【図１８】
0003654255.tif 000019
【図１９】
0003654255.tif 000020
【図２０】
0003654255.tif 000021
【図２１】
0003654255.tif 000022
【図２２】
0003654255.tif 000023
【図２３】
0003654255.tif 000024
【図２４】
0003654255.tif 000025
【図２５】
0003654255.tif 000026
【図２６】
0003654255.tif 000027
【図２７】
0003654255.tif 000028
【図２８】
0003654255.tif 000029
【図２９】
0003654255.tif 000030
【図３０】
0003654255.tif 000031
【図３１】
0003654255.tif 000032
【図３２】
0003654255.tif 000033
【図３３】
0003654255.tif 000034
【図３４】
0003654255.tif 000035
【図３５】
0003654255.tif 000036
【図３６】
0003654255.tif 000037
【図３７】
0003654255.tif 000038
【図３８】
0003654255.tif 000039